(57)【要約】      （修正有）【課題】電池と電池接片との接触圧を確保する。【解決手段】電池収納室内に電池を着脱可能に収納するための開口部と、この開口部を自在に閉塞する蓋体と、電池収納室内に電池との電気的接続を行うための電池切片と、電池収納時に蓋体が開いた場合に電池の脱落を防止するロック部材とを有するデジタルカメラなどの電子機器に設けられた電池収納室において、こ蓋体の電池切片の対面近傍に電池を付勢する部材を設ける。付勢する方向は電池を収納室から突出させる方向であることが好ましく、電池切片は電池の挿脱方向と偏芯して配置することが好ましい。更に、ロック部材は電池の挿脱方向の中立軸を挟んで電池切片と反対側に設けることが好ましい。【選択図】  図４（ｂ）
2006085924.tif 000002
【特許請求の範囲】
【請求項１】
電池収納室内に電池を着脱可能に収納するための開口部と、該開口部を開閉自在に閉塞する蓋体と、該電池収納室内に電池との電気的接続を行うための電池接片と、電池収納時に該蓋体が開いた場合に電池の脱落を防止するロック部材とを有する電子機器に設けられた電池収納室において、
該蓋体の前記電池接片の対面近傍に前記電池を付勢する部材を設けたことを特徴とする電子機器の電池収納装置。
【請求項２】
請求項１において、前記電池接片は前記電池を前記電池収納室から突出させる方向に付勢していることを特徴とする電子機器の電池収納装置。
【請求項３】
請求項１において、前記電池接片は前記電池の挿脱方向の中心軸と偏芯して配置されることを特徴とする電子機器の電池収納装置。
【請求項４】
請求項１において、前記ロック部材は前記電池の挿脱方向の中立軸を挟んで前記電池接片と反対側に設けたことを特徴とする電子機器の電池収納装置。
【請求項５】
請求項１から４いずれかに記載の電子機器はデジタルカメラであることを特徴とする電子機器の電池収納装置。
【発明の詳細な説明】
【技術分野】
【０００１】
本発明は電池の保持方法に係り、特にデジタルカメラなどの電子機器に適用される電池を固定する電子機器の電池収納装置に関する。
【背景技術】
【０００２】
従来、デジタルカメラ等の電子機器に使用される電池の保持方法に関しては様々な手段が提案されており、電池と電池接片との接触圧を十分に確保できる手段が提案されている。
【特許文献１】特開２００２−２８７２２５公報
【発明の開示】
【発明が解決しようとする課題】
【０００３】
しかしながら、前記発明では、電池を電池接片に付勢する付勢手段と電池切片の配置によっては電池が電池室内で傾き、電池と電池接片との接触圧が確保できなくなる可能性があった。本発明の目的は、蓋体を閉状態とした際には電池と電池接片との接触圧が十分に確保できる電子機器の電池収納装置を提供することにある。
【課題を解決するための手段】
【０００４】
上記課題を解決するために
請求項１に記載の発明では、電池収納室内に電池を着脱可能に収納するための開口部と、該開口部を開閉自在に閉塞する蓋体と、該電池収納室内に電池との電気的接続を行うための電池接片と、電池収納時に該蓋体が開いた場合に電池の脱落を防止するロック部材とを有する電子機器に設けられた電池収納室において、該蓋体の前記電池接片の対面近傍に前記電池を付勢する部材を設けたことを特徴としている。
【０００５】
請求項２に記載の発明では、前記請求項１における前記電池接片は前記電池を前記電池収納室から突出させる方向に付勢していることを特徴としている。
【０００６】
請求項３に記載の発明では、前記請求項１における前記電池接片は、前記電池の挿脱方向の中心軸と偏芯して配置されることを特徴としている。
【０００７】
請求項４に記載の発明では、前記請求項１における前記ロック部材は、前記電池の挿脱方向の中立軸を挟んで前記電池接片と反対側に設けたことを特徴としている。
【０００８】
請求項５に記載の発明では、前記請求項１から４いずれかに記載の電子機器はデジタルカメラであることを特徴としている。
【発明の効果】
【０００９】
本発明によれば、電池収納室に設けられた電池接片が電池の中心軸から偏芯して配置される場合にも、電池収納時の電池自身の傾きを防止し、電池と電池接片との接触圧を十分に確保することができる。
【発明を実施するための最良の形態】
【００１０】
以下本発明を実施するための最良の形態を、実施例により詳しく説明する。
【実施例】
【００１１】
図１（ａ）、図１（ｂ）を用いて本実施例を適用したカメラを示す。図において１はカメラの正面側を覆うフロントカバー、２は裏側を覆うリアカバー、３は撮影レンズ等を保持する鏡筒ユニットであり、ファインダユニット４、鏡筒を駆動させるためのズームモータ５およびギアユニット６が一体的に組みつけられている。そして鏡筒ユニット３は、固定ねじ７ａ、７ｂ、７ｃによりベース８に固定される。９は電池５１を保持するための電池ケースであり、電源基板ユニット１０を挟んでねじ１１ａおよび１１ｂによってベース８に固定される。図に示すように電池ケース９の一面は壁のない開口部９ａがあり、電源基板ユニット１０によって蓋がされるように構成されている。また、電源基板ユニット１０の電池ケース側には電源コネクタ５６および映像、音声のジャック５７が実装され、電池ケース９の凹部１０ｂおよび１０ｃに組み合わせられるように配されている。さらには電池基板ユニット１０の電池ケース９側の面には基板上のスルーホール等を保護するための絶縁シート５３が貼られている。該絶縁シート５３には略三角形状５３ａの穴があけられている。この穴５３ａの位置は電池５１上にある挿入方向指示マーク５１ａに左右方向を略同一とし、この位置を合わせて電池５１を電池ケース９に挿入することで電池５１が正しく挿入されるようにしている。また、絶縁シート５３に設けられた穴５３ａの位置には電源基板ユニット１０の基板上にシルク印刷をあらかじめ行っておくことにより穴の視認性を向上させている。
【００１２】
１２はストロボ発光部１３が上部に配されたストロボユニットであり、下方に伸びたフレーム部分にストロボ回路を実装したストロボフレキ１４が貼り付けられるとともに、メインコンデンサ１５が固定されている。そして該ストロボユニット１２は前記鏡筒ユニット３に組み付けられたギアユニット６およびズームモータ５の前面に配され、側面よりビス１６によりベース８に固定される。この際、前記ストロボ発光部１３の幅はその後方に配置されている前記ギアユニット６およびズームモータ５とを合わせた幅と略同一としたため無駄なく配置される。
【００１３】
１７はＣＰＵやメモリ、画像処理ＬＳＩ等が実装されたメイン基板であり、背面に外部メモリであるＳＤメモリカード１７ｂのスロット１７ａおよびＵＳＢコネクタ１７ｃが実装されている。そして該メイン基板１７はねじ１８ａ、１８ｂおよび１８ｃによって電池ケース９およびベース８にねじ止めされる。１９はレリーズＳＷ、電源ＳＷ等を実装した操作フレキ、２０はスピーカであり、その端子部には操作フレキ１９の一端がはんだ付けされている。
【００１４】
２１は十字キー２２、センターキー２３、押しボタン２４、２５等が貼り付けられた操作ボタンベース部材でありシリコンゴムで構成されている。そして操作ボタンベース部材２１の背面には該操作ボタンベース部材に貼り付けられた前記のボタン類に対応する位置に、ドーム状の金属の皿（メタルドーム）が貼り付けられており、各操作ボタンを押すとメタルドームが前記操作フレキ１９上のパターンに接触して通電する。操作ボタンベース部材の一部２１ａがスピーカ２０の淵を覆うように構成されており、前記スピーカ２０とリアカバー２の隙間を塞ぐ緩衝材の役目を果たしている。これにより従来スピーカ上部に貼り付けられ音漏れの防止などの役割を果たしていたウレタンフォームなどの緩衝部材を省略することが可能となる。２６はその中心部に導光部材２７が貼り付けられた発光ボタンであり、他の押しボタンＳＷを配した操作フレキ１９より奥に配置された電源基板ユニット１０上に実装されたタクトＳＷ１０ａを導光部材２７によって押すように構成されている。そしてタクトＳＷ１０ａの横にはＬＥＤ１０ｂが配されており、導光部材２７を通してＬＥＤ１０ｂの発した光が発光ボタン２６の表面に導かれる。発光ボタン２６はそのベース部分がねじ２８によってベース８に固定される。
【００１５】
２９はＬＣＤパネルであり不図示のバックライトとともにＬＣＤホルダ３０に保持されている。そしてＬＣＤホルダ３０はねじ３１によってベース８に固定される。３２はカメラの動作モードを切替える切り替えボタンであり、左右に動かすことで静止画撮影、動画撮影、画像再生を切り替える。切り替えボタン３２は背面の固定板３３とともにリアカバー２を挟み込むことで左右動作を可能とするように構成されるとともに、切り欠き部３３ａが操作フレキ１９上に実装されたモード切替ＳＷの腕部をくわえることでＳＷを切り替えるように構成される。
【００１６】
３４はズームダイアル３５、レリーズボタン３６、電源ボタン３７を保持するボタン保持部材であり、電池ケース９の上面に操作フレキ１９をはさんで配置される。また、該ボタン保持部材３４の側部にはＵＳＢコネクタ１７ｃおよび映像、音声のジャック１０ｃが収納されるジャック収納部をもち、さらにはそれらをカバーするためのジャックカバー３８が引き出し可能に構成される。
【００１７】
４１はストラップを取り付けるためのストラップ取り付け部材であり、強度とデザイン上の観点からダイキャストにより成型されている。そしてカメラの側面を覆うとともに、略中央に穴４１ａ、４１ｂが開けられ、その間のバー部４１ｃにストラップ紐４２がかけられるようになっている。該穴部４１ａ、４１ｂには背面より内部が半球状に刳り抜かれたインナー部材４３が嵌め込まれ、ストラップ紐４２がかけやすくされるとともに、その壁面が前記サイドカバー４１の穴部４１ａ、４１ｂの周囲をカバーするように配されることでストラップ紐４２が穴周囲のエッジで切断されることを防ぐ。さらには、指等がエッジに触れてけがをすることをも防いでいる。該サイドカバー４１はねじ４４ａおよび４４ｂによってフロントカバー１、リアカバー２およびインナー部材４３を挟み込んだ状態でベース８に固定される。４５は三脚取り付け用のねじが切られた三脚取り付け座である。フロントカバー１およびリアカバー２はねじ４６ａ、４６ｂにより側面から、ねじ４７ａ、４７ｂによって下面より固定される。
【００１８】
図２を用いて電池ケース９の構成を説明する。９１は電池排出部材であり、電池５１を電池ケース９から突出させる方向に付勢している。９２は電池との電気的接続を行うために設けられた電池接片であり、電池排出部材９１の付勢方向と同様に電池５１を電池ケース９から突出させる方向に付勢している。９３は不用意に蓋体９４が開いてしまった場合において、電池が電子機器本体から脱落してしまい記録中のデータの破損等を防ぐために設けられたロック部材であり、電池５１が電池ケース９内に収納されている場合は常に電池５１を保持している。蓋体９４は不図示のヒンジ軸を中心に回動可能に構成され電子機器本体に対して開閉可能になっている。電池５１が電池ケース９に装着されている場合、電池５１を挿脱可能にするために電池５１と電池ケース９との間には所定量の隙間が設けられている。また電池５１は、電池排出部材９１と電池接片９２との付勢力によって電池ケース９から突出する方向に付勢されている。しかし電池ケース９に設けられたロック部材９３によって電池５１の一部は電池の突出方向の移動が規制される。さらに、電池排出部材９１と電池接片９２とはロック部材９３に対して偏芯して配置されているために、図３に示すように電池５１はロック部材９３当接部を中心に回転してしまい、電池ケース９と電池との隙間部分で傾きが生じてしまう（電池排出部材９１は不図示）。そのため、電池５１と電池接片９２との間での接触圧が十分に確保できなくなり接触不良等の問題を引き起こす可能性がある。
【００１９】
そこで図４（ａ）のＡ−Ａ断面図を説明する。図４（ｂ）に示すようにロック部材９３の電池受け面９３１と同じ高さになるような蓋体９４上に蓋体と一体で形成された付勢部９４１を設け、この付勢部９４１で電池５１を挿入方向に付勢することで電池接片９２の付勢力による電池９１の傾きの発生を防止する。さらに、付勢部９４１によって蓋体９４が電池ケース９に対して閉塞した状態にある際に、電池接片を所定量チャージするような形状に設定しておくことで電池接片９２の接点部高さ等のばらつきに関わらず、電子機器に電池９が挿入された状態で電池５１と電池接片９２との接触圧が十分に確保される。そのため、通常の使用状態で十分な接触圧を得ることはもちろんのこと、電子機器に振動が付加された場合においても安定した機器の使用が可能となる。
【図面の簡単な説明】
【００２０】
【図１（ａ）】本発明の電池収納装置を備えた電子機器の分解斜視図
【図１（ｂ）】本発明の電池収納装置を備えた電子機器の分解斜視図
【図２】本発明の電池収納装置の斜視図
【図３】電池が傾いた状態を示す図
【図４（ａ）】本発明の実施形態例を示す斜視図
【図４（ｂ）】図４（ａ）におけるＡ−Ａ断面図
【符号の説明】
【００２１】
１  フロントカバー
２  リアカバー
３  鏡筒ユニット
４  ファインダユニット
８  ベース
９  電池ケース
５１  電池
９１  電池排出部材
９２  電池接片
９３  ロック部材
９４  蓋体
【図１（ａ）】
2006085924.tif 000003
【図１（ｂ）】
2006085924.tif 000004
【図２】
2006085924.tif 000005
【図３】
2006085924.tif 000006
【図４（ａ）】
2006085924.tif 000007
【図４（ｂ）】
2006085924.tif 000008